(57)【要約】【課題】肌面の汚れを充分に除去し得る美容装置を提供する。【解決手段】グリップケース１に支持された弾性振動板２と、グリップケース１内に収容され、弾性振動板２を超音波振動させる超音波振動子３とを備えた美容装置において、グリップケース１には、弾性振動板２の振動に基づいてミストを生成するミスト生成部１２と、ミストを弾性振動板２による施術部に噴霧するミスト噴霧部６，７，８とを備えた。【選択図】図２
2012065894.tif 000002
【特許請求の範囲】
【請求項１】
グリップケースに支持された弾性振動板と、
前記グリップケース内に収容され、前記弾性振動板を超音波振動させる超音波振動子と
を備えた美容装置において、
前記グリップケースには、前記弾性振動板の振動に基づいてミストを生成するミスト生成部と、
前記ミストを前記弾性振動板による施術部に噴霧するミスト噴霧部と
を備えたことを特徴とする美容装置。
【請求項２】
請求項１に記載の美容装置において、
前記ミスト生成部は、
前記弾性振動板に接し、ミスト溶液を含浸させた含浸部を備え、
前記ミスト噴霧部は、
送風部と、
前記含浸部の振動に基づいて生成されるミストを前記送風部からの送風に基づいて前記施術部に噴霧するミスト移送管と
を備えたことを特徴とする美容装置。
【請求項３】
請求項２に記載の美容装置において、
前記弾性振動板には、前記超音波振動子の振幅を増幅して前記含浸部に伝達する増幅部を備えたことを特徴とする美容装置。
【請求項４】
請求項３に記載の美容装置において、
前記増幅部は、
リング状の超音波振動子と、
前記超音波振動子のリングの内側部分で前記弾性振動板の肉厚を薄くした共振部と
を備えたことを特徴とする美容装置。
【請求項５】
請求項３に記載の美容装置において、
前記増幅部は、
リング状の超音波振動子と、
前記超音波振動子のリングの内側部分に取着された共振体と
を備えたことを特徴とする美容装置。
【請求項６】
請求項２乃至５のいずれか1項に記載の美容装置において、
前記超音波振動子を、前記弾性振動板で施術部を施術する第一の周波数と、前記含浸部を振動させて前記ミストを生成する第二の周波数とで振動させる制御部を備えたことを特徴とする美容装置。
【請求項７】
請求項６に記載の美容装置において、
前記制御部は、前記超音波振動子を前記第一の周波数と第二の周波数とで交互に振動させることを特徴とする美容装置。
【請求項８】
請求項６に記載の美容装置において、
前記制御部は、前記第一の周波数と第二の周波数を重畳して前記超音波振動子を振動させることを特徴とする美容装置。
【請求項９】
請求項１乃至８のいずれか１項に記載の美容装置において、
前記超音波振動子に供給する電圧を矩形波で供給するとともに、該矩形波のデューティを調整可能とする制御部を備えたことを特徴とする美容装置。
【発明の詳細な説明】
【技術分野】
【０００１】
この発明は、超音波振動する振動板で肌面を擦ることにより、肌面の汚れを除去する美容装置に関するものである。
【背景技術】
【０００２】
従来、超音波で振動する振動板を肌面に押し当てて、肌面に付着している角質、皮脂や化粧残りを除去するようにした美容装置が提案されている。このような美容装置は、特許文献１に開示されるように、超音波振動子の振動により弾性振動板が厚さ方向に振動し、その振動に基づいて肌面の汚れを除去するようになっている。
【先行技術文献】
【特許文献】
【０００３】
【特許文献１】特開平０６−３２８０４２
【発明の概要】
【発明が解決しようとする課題】
【０００４】
上記のような美容装置では、超音波振動する弾性振動板を肌面に押し当てて汚れを除去する構成であるため、毛穴に詰まった汚れを充分に除去することができないという問題点がある。
【０００５】
この発明の目的は、肌面の汚れを充分に除去し得る美容装置を提供することにある。
【課題を解決するための手段】
【０００６】
上記課題を解決するために、本発明の美容装置は、グリップケースに支持された弾性振動板と、グリップケース内に収容され、弾性振動板を超音波振動させる超音波振動子とを備えた美容装置において、グリップケースには、弾性振動板の振動に基づいてミストを生成するミスト生成部と、ミストを前記弾性振動板による施術部に噴霧するミスト噴霧部とを備えたことを特徴とする。
【０００７】
また、上記構成において、ミスト生成部は、弾性振動板に接し、ミスト溶液を含浸させた含浸部を備え、ミスト噴霧部は、送風部と、含浸部の振動に基づいて生成されるミストを送風部からの送風に基づいて施術部に噴霧するミスト移送管とを備えることが好ましい。
【０００８】
また、上記構成において、弾性振動板には、超音波振動子の振幅を増幅して含浸部に伝達する増幅部を備えることが好ましい。
また、上記構成において、増幅部は、リング状の超音波振動子と、超音波振動子のリングの内側部分で前記弾性振動板の肉厚を薄くした共振部とを備えることが好ましい。
【０００９】
また、上記構成において、増幅部は、リング状の超音波振動子と、超音波振動子のリングの内側部分に取着された共振体とを備えることが好ましい。
また、上記構成において、超音波振動子を、弾性振動板で施術部を施術する第一の周波数と、含浸部を振動させてミストを生成する第二の周波数とで振動させる制御部を備えることが好ましい。
【００１０】
また、上記構成において、制御部は、超音波振動子を第一の周波数と第二の周波数とで交互に振動させることが好ましい。
また、上記構成において、制御部は、第一の周波数と第二の周波数を重畳して超音波振動子を振動させることが好ましい。
【００１１】
また、上記構成において、超音波振動子に供給する電圧を矩形波で供給するとともに、該矩形波のデューティを調整可能とする制御部を備えることが好ましい。
【発明の効果】
【００１２】
本発明によれば、肌面の汚れを充分に除去し得る美容装置を提供することができる。
【図面の簡単な説明】
【００１３】
【図１】第一の実施形態を示す平面図である。
【図２】第一の実施形態を示す縦断面図である。
【図３】第一の実施形態の電気的構成を示すブロック図である。
【図４】第一の実施形態の制御部の動作を示すフローチャートである。
【図５】第二の実施形態を示す平面図である。
【図６】第二の実施形態を示す縦断面図である。
【図７】第二の実施形態を示す縦断面である。
【図８】第三の実施形態を示す平面図である。
【図９】第三の実施形態を示す縦断面図である。
【図１０】第三の実施形態を示す縦断面図である。
【図１１】第四の実施形態の動作を示す波形図である。
【図１２】第四の実施形態の別例を示す波形図である。
【図１３】第四の実施形態の別例を示す波形図である。
【発明を実施するための形態】
【００１４】
（第一の実施形態）
以下、この発明を具体化した第一の実施形態を図面に従って説明する。図１及び図２に示す美容装置は、筒状に形成されたグリップケース１にステンレス等の金属で板状に形成された弾性振動板２が支持され、その弾性振動板２の先端部はグリップケース１の先端から突出されている。
【００１５】
前記グリップケース１内の中央部には、前記弾性振動板２の基端部下面に接する超音波振動子３が配設される。また、グリップケース１の基端部には前記超音波振動子３の動作を制御する制御部４と、その制御部４に電源を供給する電源部５が配設されている。電源部５は、充電式バッテリー、乾電池あるいは商用電源の供給に基づいて所要の電圧を生成する電源回路のいずれでもよい。
【００１６】
そして、制御部４の制御に基づいて超音波振動子３が振動して、弾性振動板２が厚み方向に１０kHz〜１００kHzの振動周波数で振動するようになっている。このとき、弾性振動板２は先端に向かって振動振幅が増大するようになっている。
【００１７】
前記弾性振動板２の上方にはミスト移送管６が配設され、そのミスト移送管６の先端はグリップケース１の先端側で前記弾性振動板２の上方に突出されている。
前記ミスト移送管６の基端部には、ファン７と、そのファン７を回転させるモーター８が送風部として配設され、前記制御部４の制御によりモーター８が回転される。前記ミスト移送管６の中間部には、前記超音波振動子３の上方位置で弾性振動板２に向かって開口する案内部９が設けられている。
【００１８】
前記グリップケース１内において、前記モーター８の近傍には、水あるいは化粧水等のミスト溶液を貯留する給水タンク１０が配設され、その給水タンク１０から前記案内部９の開口部まで給水管１１が延設されている。
【００１９】
また、前記給水管１１内にはフェルト１２が充填され、そのフェルト１２の先端は、前記案内部９の開口位置の弾性振動板２上まで延設されている。そして、弾性振動板２が振動すると、案内部９の開口部に露出されるフェルト１２に含浸されているミスト溶液が細かな水粒すなわちミストとなって案内部９からミスト移送管６内に案内され、そのミストがファン７から送風される風でミスト移送管６の噴出口１３から噴出されるようになっている。
【００２０】
図３は、この実施形態の美容装置の電気的構成を示す。操作部１４は前記グリップケース１の表面に設けられ、その操作部１４の操作に基づく操作信号が前記制御部４に出力される。
【００２１】
制御部４は、操作部１４からの操作信号に基づいて発振回路１５を作動させる。発振回路１５は前記超音波振動子３に駆動信号を出力し、その駆動信号に基づいて超音波振動子３が弾性振動板２を振動させるとともに、前記ミスト移送管６内にミストを発生させる。また、制御部４は超音波振動子３の駆動とともに、前記モーター８を作動させてミスト移送管６からミストを噴出させる。
【００２２】
次に、この実施形態の美容装置の制御部４の動作を図４に従って説明する。操作部１４の電源スイッチがオンされると、電源部５から制御部４に電源が供給される（ステップ１）。そして、超音波振動子３が作動して弾性振動板２が振動し、ミスト移送管６内にミストが生成されるとともに（ステップ２）、モーター８が作動して噴出口１３からミストが噴出される（ステップ３）。
【００２３】
この状態で、弾性振動板２の先端で鼻や頬等の肌面（施術部）を擦るように施術すると、肌面にミストが噴霧されているので、肌面に付着している角質や化粧汚れあるいは毛穴の角栓が軟化して除去される。
【００２４】
ステップ２及びステップ３の動作は、電源スイッチがオフされるまで継続される。そして、電源スイッチがオフされると、制御部４の動作が停止して、超音波振動子３及びモーター８の動作が停止する（ステップ４，５）。
【００２５】
上記のように構成された美容装置では、次に示す作用効果を得ることができる。
（１）肌面にミストを噴霧しながら、超音波振動する弾性振動板２で肌面を擦ることにより、肌面の汚れを充分に落とすことができる。
（２）弾性振動板２の作動とともに、ミストを生成して噴出口１３から施術部に向かってミストを噴霧することができる。
（３）弾性振動板２の振動を利用してミストを発生させることができる。
（第二の実施形態）
図５〜図７は第二の実施形態を示す。この実施形態は、前記第一の実施形態の美容装置の弾性振動板及び超音波振動子を、ミストを発生させ易い構造としたものである。第一の実施形態と同一構成部分は、同一符号を付して詳細な説明を省略する。
【００２６】
超音波振動子２１はリング状に形成され、弾性振動板２は超音波振動子２１のリングの内側に位置する部分の肉厚を薄くした共振部２２が形成されている。そして、共振部２２に前記フェルト１２が延設されている。前記共振部２２の肉厚は、弾性振動板２の他の部分の肉厚の１／３〜２／３とすることが望ましい。
【００２７】
上記以外の構成は、第一の実施形態と同様である。
このように構成された美容装置では、弾性振動板２が振動するとき、共振部２２の肉厚が薄いことから、共振部２２の振幅が他の部分の振幅より大きくなるため、フェルト１２の先端部から発生するミストの量が増大する。
【００２８】
上記のように構成された美容装置では、第一の実施形態で得られた作用効果に加えて、次に示す作用効果を得ることができる。
（１）弾性振動板２の振動振幅を増大させることなく、ミストの発生量を増大させることができる。
（第三の実施形態）
図８〜図１０は、第三の実施形態を示す。この実施形態は、リング状とした超音波振動子のリング内に共振体を設けてミストの発生量を増大させるようにしたものである。第二の実施形態と同一構成部分は、同一符号を付して詳細な説明を省略する。
【００２９】
リング状の超音波振動子２１のリング内には、共振体２３が取着されている。この共振体２３は、アルミニウムあるいはチタン等の金属で円板状に形成されて、超音波振動子２１が振動するとき、超音波振動子２１の振幅より大きな振幅で共振するようになっている。
【００３０】
前記共振体２３及び超音波振動子２１に接する弾性振動板２の肉厚は、第二の実施形態とは異なり、他の部分と同一に形成されている。上記以外の構成は、第二の実施形態と同様である。
【００３１】
このように構成された美容装置では、超音波振動子２１が振動するとき、共振体２３が超音波振動子２１の振幅より大きな振幅で振動する。すると、フェルト１２の先端部に接する弾性振動板２の振幅が増大して、フェルト１２の先端部から発生するミストの量が増大する。
【００３２】
上記のように構成された美容装置では、第二の実施形態で得られた作用効果に加えて、次に示す作用効果を得ることができる。
（１）弾性振動板２に、肉厚の異なる共振部を設けることなく、リング状の超音波振動子２１の内側に共振体２３を取着することにより、ミストの発生量を増大させることができる。従って、第二の実施形態に比して、弾性振動板２の製造コストを低減することができる。
（第四の実施形態）
図１１〜図１３は、第四の実施形態を示す。この実施形態は、超音波振動子３の振動周波数を制御することにより、弾性振動板２を肌面の施術に適した周波数で振動させながら、ミストの発生量を確保するようにしたものである。制御部４による超音波振動子３の制御以外の機械的構成は、第一の実施形態と同様である。
【００３３】
図１１は、制御部４により制御された超音波振動子３の振動周波数を示す。時間幅Ｔ１では超音波振動子３がミストの発生に適した１〜３MHzの周波数で振動し、時間幅Ｔ２では超音波振動子３が肌面の施術に適した１０〜１００kHzの周波数で振動するように制御部４で制御する。上記振動周波数は、制御部４の制御により超音波振動子３に供給する交流電流の周波数を制御することにより生成される。
【００３４】
このような動作により、時間幅Ｔ１でミストの発生量を確保しながら、時間幅Ｔ２で肌面を施術することができる。
図１２は、１０〜１００kHzの周波数Ｆで振動する第一の周波数（周期１／Ｆ）に、１〜３MHzの第二の周波数ｆ（周期１／ｆ）を重畳した周波数で超音波振動子３を振動させる制御を示す。
【００３５】
このような制御により、弾性振動板２の第一の周波数による振動で肌面の施術を行うことができるとともに、弾性振動板２の第二の周波数による振動でミストを発生させることができる。
【００３６】
図１３は、超音波振動子３に供給する電圧を矩形波Ｗで供給し、その矩形波Ｗのデューティを調整することにより、超音波振動子３に供給される電圧を調整するようにしたものである。
【００３７】
制御部４で超音波振動子３に供給する矩形波Ｗのデューティｈ／ｔを調整することにより、超音波振動子３に供給する電圧を実質的に調整可能となる。そして、電圧の調整により、超音波振動子３の振幅を容易に調整することができる。
【００３８】
このような構成により、弾性振動板２の振幅と、ミストの発生量を最適に調整することができるとともに、弾性振動板２の振幅の無用な増大を防止して、消費電力を低減することができる。
【００３９】
上記実施形態は、以下の態様で実施してもよい。
・第二の実施形態において、共振部２２はフェルト１２が延設される側を抉って肉厚を薄くしているが、超音波振動子２１側を抉ってもよい。
【符号の説明】
【００４０】
１…グリップケース、２…弾性振動板、３，２１…超音波振動子、４…制御部、６…ミスト噴霧部（ミスト移送管）、７…ミスト噴霧部（送風部、ファン）、８…ミスト噴霧部（送風部、モーター）、１２…ミスト生成部（含浸部、フェルト）、２２…増幅部（共振部）、２３…増幅部（共振体）。
【図１】
2012065894.tif 000003
【図２】
2012065894.tif 000004
【図３】
2012065894.tif 000005
【図４】
2012065894.tif 000006
【図５】
2012065894.tif 000007
【図６】
2012065894.tif 000008
【図７】
2012065894.tif 000009
【図８】
2012065894.tif 000010
【図９】
2012065894.tif 000011
【図１０】
2012065894.tif 000012
【図１１】
2012065894.tif 000013
【図１２】
2012065894.tif 000014
【図１３】
2012065894.tif 000015